(57)【要約】      （修正有）【課題】採取した検体を効率よく提供可能であり、クリーンルーム内でも使用できる検体採取スワブを提供する。【解決手段】検体採取スワブ１は、扁平な板状の部分を有する本体３と、繊維と粘着剤による間隙を持つ拭き取り部２とツマミ部４を備える。ツマミ部４を持ち検体を繊維の間隙の粘着剤で効率良く付着採取が出来る。また拭き取り部２への粘着系または非粘着系樹脂のコーティングにより、各繊維間が繋がり、発塵を抑えることができる。【選択図】図１
0003220415.tif 000002
【実用新案登録請求の範囲】
【請求項１】
微生物関連物質（以下検体という）を採取するための採取器具であって、扁平な板状の部分を有する本体と本体の先端領域側の幅広な表面に、繊維布が溶着された拭き取り部と、本体の拭き取り部の反対側に付いた操作用のツマミ部から構成され、拭き取り部の繊維布は粘着剤がコーティングされており、拭き取り部の繊維布が作り出す繊維間の間隙は、粘着剤のコーティングにより全面に塞がれることなく粘着剤がコーティングされる繊維布面積の半分以上は粘着剤付繊維の集まりからなる間隙をもつ、ことを特徴とする検体採取スワブ。
【請求項２】
請求項１に記載の検体の採取器具において、棒状または円筒状の芯材と、その一端または両端に、繊維による拭き取り部から構成され、前記拭き取り部の表面には粘着系または非粘着系の合成樹脂がコーティングされている、ことを特徴とする検体採取スワブ。
【請求項３】
請求項１に記載の検体の採取器具において、前記拭き取り部の繊維は、繊維径が０．１μｍ〜５０μｍである、ことを特徴とする検体採取スワブ。
【請求項４】
請求項１に記載の検体の採取器具において、前記繊維布は、前記本体の表面に熱溶着または超音波溶着され、または前記繊維布は、前記本体の表面にホットメルト接着剤を介して溶着される、ことを特徴とする検体採取スワブ。
【請求項５】
請求項１に記載の検体の採取器具において、前記本体の先端領域側の幅広な表面に袋状の繊維布からなる拭き取り部が付けられている、ことを特徴とする検体採取スワブ。
【考案の詳細な説明】
【技術分野】
【０００１】  本考案は、医療機関や食品、医薬品等の製造工場などの検体を採取・検査する場合に使用される検体の採取器具に係り、特に微生物やウイルス等の微小な検体の採取に適した検体の採取器具に関する。
【背景技術】
【０００２】  検体の検査には、長年用いられている培養法と、遺伝子工学の発展に伴い普及した迅速法が実施されている。迅速法は、培養法に比べて短時間で検査結果が得られるため、再生医療現場、食品工場、環境中の微生物等の検体検査に採用されている。迅速法とは、環境中の装置、配管内等に付着している微量の微生物やウイルス等の検体を採取器具で採取し、検体から核酸（ＤＮＡまたはＲＮＡ）を抽出し、ポリメラーゼ連鎖反応（ＰＣＲ）により核酸を増幅して迅速測定器（リアルタイムＰＣＲ装置等）を用いて、検体を分析・解析するものである。【０００３】  検体を採取するために、拭き取り用のスワブ（拭き取り器具）が用いられている。なお、スワブとは芯材、繊維、樹脂等の拭き取り部からなる微生物拭き取り器具である。このような微生物拭き取り器具が特許文献１に開示されている。特許文献１は、拭き取り用含浸体を、リン酸緩衝液等の溶液の入った容器内に収容した構造の環境微生物検査用の採取器具である。
特許文献２は、検体を掻き取る採取スワブと、採スワブを収容可能な容器と、採取スワブを保持した状態で容器内に採取スワブを密閉するキャップを備え、採取スワブは、扁平な本体と、本体に溶着された極細繊維布から構成される拭き取り部を備える環境微生物検査用の採取器具である。
【先行技術文献】
【特許文献】
【０００４】
【特許文献１】特開２０１１−６９７７８号公報
【特許文献２】特開２０１８−０２５５４６号公報
【考案の概要】
【考案が解決しようとする課題】
【０００５】  特許文献２に開示された採取器具では、検査部位の検体に直接触れて採取する拭き取り体として極細繊維布が使われている。検体を繊維の間に絡めて採取する方法である。繊維が検体に接触しても、絡めるだけの繊維の空間または繊維量がなければ、採取できないおそれがある。【０００６】  採取器具において、拭き取り部には繊維長の短い短繊維が使われているものもあり、発塵する可能性が高くクリーンルーム内では使用できないおそれがある。【０００７】  そこで、本考案は、検体を更に効率よく回収でき、また発塵を抑えられクリーンルーム内でも使用できる、検体の採取器具の提供を目的とする。
【課題を解決するための手段】
【０００８】  本考案の各態様は次の通り構成される。
（態様１）検体を採取するための採取器具であって、扁平な板状の部分を有する本体と本体の先端領域側の幅広な表面に、繊維布が溶着された拭き取り部と、本体の拭き取り部の反対側に付いた操作用のツマミ部から構成される。前記繊維布は前記本体に、熱溶着、超音波溶着、ホットメルト等で溶着されている。前記拭き取り部には織物又は編み物、又は起毛加工にされた繊維が使われ水性及び溶剤系のアクリル粘着剤、溶剤系のゴム系粘着剤、及びホットメルト系粘着剤等がコーティングされている。前記ツマミ部は不織布または繊維布を前記本体に水性粘着剤で貼り付けられてある。
前記拭き取り部の繊維布は粘着剤がコーティングされているが、拭き取り部の繊維布が作り出す繊維間の間隙は、粘着剤のコーティングにより全面に塞がれることなく、粘着剤がコーティングされる繊維布面積の半分以上は粘着剤付繊維の集まりからなる間隙をもつことにより、繊維の間隙とその表面の粘着剤にて検体を容易に採取することができる。
（態様２）検体の採取器具において、拭き取り部の表面に非粘着剤型のアクリル系、ウレタン系、フッ素系、シリコン系等の合成樹脂がコーティングされていることにより、各繊維が高分子樹脂で繋がり、繊維の離脱が抑えられ採取器具の発塵を抑えることができる。
（態様３）態様１に記載の検体の採取器具において、拭き取り部の繊維は、繊維径が０．１μｍ〜５０μｍであり、この繊維によってつくられる繊維表面で、検体を容易に採取することができる。
（態様４）態様１に記載の検体の採取器具において、前記繊維布の素材にはポリエステル、ナイロン等の合成繊維の長繊維が使われており、前記本体の表面に熱溶着され、または、前記繊維布は、前記本体の表面にホットメルト接着剤を介して溶着されることより、拭き取り部からの繊維片等の発塵を抑えることができる。
（態様５）態様１に記載の検体の採取器具において、前記繊維布は、袋状に作られ、前記本体に被せられた、検体の採取器具である。検体の採取後、本体より袋状の拭き取り部を取り外し、拭き取り部のみの検体抽出が可能となり、より小さい検体抽出器具の使用が可能となる。
【考案の効果】
【０００９】  本考案は、検体を効率よく採取し、また採取器具の発塵を抑え、クリーンルーム内での使用も可能な検体の採取器具を提供することができる。
【図面の簡単な説明】
【００１０】
【図１】本考案の第１の実施形態に係わる採取器具を示す斜視図である。
【図２】図１の採取器具の上面図（ａ）及びａ−ｂ間の断面図（ｂ）である。
【図３】図１の袋状極細繊維布による採取部２の写真（図面代用写真）である。
【図４】本考案の各実施形態に用いる極細繊維の電子顕微鏡写真（ａ）及び（ｂ）である。
【図５】本考案の第２の実施形態に係わる採取器具を示す上面図（ａ）及びａ−ｂ間の断面図（ｂ）である。
【図６】本考案の第３の実施形態に係わる採取器具の側面図である。
【考案を実施するための形態】
【００１１】本考案の検体の採取器具に係わる各実施形態を、図面を参照しつつ説明する。なお各図において、同一部分には同一符号を付し適宜説明を省略する。
【実施例】
【００１２】  〔第１の実施形態〕
第１の実施形態に係わる検体採取スワブ１の全体構成を説明する。図１に示すように、検体採取スワブ１は、扁平な板状の部分を有する本体３と、本体３に被せた拭き取り部２とツマミ部４を備える。【００１３】  本体３の一方の末端領域には、操作用ツマミ部４が形成され、他方の末端領域には拭き取り部２が形成されている。【００１４】  拭き取り部２は、長方形状繊維布の長辺のほぼ中央部を折り曲げて重ね合わせ、その長辺側の端部を熱溶着または超音波溶着にて袋状にする。更に溶着部を外面に出さないように、溶着した袋を裏返しにしてある。図３はその外観写真である。拭き取り部２の開口部を本体３に被せて検体の採取部分にできる。【００１５】  拭き取り部２の繊維布は粘着剤６がコーティングされている。粘着剤６がコーティングされた繊維８は、繊維布をつくる多数の繊維で間隙７をつくる。前記間隙７と各繊維にコーティングされた粘着剤６とが検体を効率良く採取する部分にできる。【００１６】  両面粘着シート５を繊維布の片面に貼り、その後二つ折りして本体３に貼り合わせて、検体採取スワブ１を操作するツマミ部４にできる。【００１７】  拭き取り部２の繊維には、ポリエステル繊維やナイロン繊維の合成繊維等を用いることができる。平均繊維径は、好ましくは０．１μｍ〜５０μｍ、より好ましくは１μｍ〜１０μｍの極細繊維、更に好ましくは５μｍとすることができる。【００１８】  本体３の材料には発塵せず、折れにくいポリプロピレン等を使う事ができる。【００１９】  拭き取り部２の粘着剤には、水性のアクリル系粘着材等を用いることができる。図４において（ａ）、（ｂ）は粘着剤６がコーティングされた繊維布の表面写真である。繊維８は粘着剤がコーティングされた繊維布の一部であり、各繊維は粘着剤６がコーティングされ、繊維間の間隙７の一部は粘着剤６で塞がれておらず、繊維間隙７とその表面の粘着剤６とで異物と共存する検体を効率よく採取することができる。【００２０】  検体採取スワブ１の製造法を、工程１〜７にしたがって説明する。
〔工程１〕長方形状繊維布を長辺のほぼ半分で折り曲げ、重ね合わされた長辺端部の２辺をヒートシーラーにて溶着し、袋状の繊維布にする。溶着部を拭き取り部としないために袋状繊維布を裏返しして、裏返し前の内面が拭き取り面となる拭き取り部２をつくる。
〔工程２〕ツマミ部４は、ポリエステル繊維布に両面粘着シートを貼り、レーザー加工機で指定形状にカットする。
〔工程３〕本体３の１端に拭き取り部２を被せる。
〔工程４〕ツマミ部４の粘着面を内側にして折り曲げ、本体３の拭き取り部２が付いていない他の１端に貼り付ける。
〔工程５〕クリーンルーム内で純水超音波洗浄にて異物を除去し、粘着剤をコーティングする。この際、拭き取り部２と本体３の隙間にも粘着剤を入れ、外れ難くする。
〔工程６〕その後酸処理により付着微生物のＤＮＡ分解を行う。
〔工程７〕できた検体採取スワブ１をポリ袋等での包装後、γ線を照射する。【００２１】  〔第２の実施形態〕
第２の実施形態に係わる検体採取器具について図５を用いて説明する。第２の実施形態の採取器具は、拭き取り部の構造以外は第１の実施形態の採取器具と同じであるため、同じ部分の説明は省略する。【００２２】  図５に示すように、第２の実施形態の採取器具１００は、細長い板状の本体３ａの１端に溶着した拭き取り部２ａと他端に貼り付けたツマミ部４から構成される。拭き取り部２ａは本体３ａの先端領域の幅広な表面（上面及び下面）にホットメルト（無溶剤型接着剤）１０１を通して熱溶着されている。拭き取り部２ａの繊維にはポリエステル繊維（ＰＥＴ）等の繊維による編物（ニット）を使う事ができる。平均繊維径は、好ましくは０．１μｍ〜５０μｍ、より好ましくは１μｍ〜１０μｍの極細繊維、更に好ましくは２μｍとすることができる。拭き取り部２ａの表面には、水性アクリル粘着剤６がコーティングされている。コーティングされた繊維布の間隙７の一部は粘着剤６で塞がれていない部分がある。本体３ａには板状の合成樹脂材であるポリプロピレンを使う事ができる。ツマミ部４は粘着剤５で本体３ａに貼り付けられている。【００２３】  〔第３の実施形態〕
図６に示すように、第３の実施形態の採取器具２００は、棒状または円筒状の芯材３０と楕円体状の拭き取り部２０から構成される。芯材３０には再生繊維であるレーヨンまたはポリエステル繊維等を使う事ができる。拭き取り部２ｂの表面には、水性アクリル粘着剤６がコーティングされている。コーティングされた繊維表面の間隙７の一部は粘着剤６で塞がれていない部分がある。芯材３０の材料にはＡＢＳ樹脂、ポリスチレンまたはポリプロピレン等の合成樹脂を使う事ができる。【００２４】  粘着剤６の替わりに、非粘着剤型のアクリル系、ウレタン系、フッ素系、シリコン系等の合成樹脂がコーティングされることができる。
【符号の説明】
【００２５】  １  検体採取スワブ
２  拭き取り部
３  本体
４  ツマミ部
５  両面粘着シート
６  粘着剤
７  間隙
８  繊維
２０  拭き取り部
３０  芯材
【図１】
0003220415.tif 000003
【図２】
0003220415.tif 000004
【図３】
0003220415.tif 000005
【図４】
0003220415.tif 000006
【図５】
0003220415.tif 000007
【図６】
0003220415.tif 000008